(57)【特許請求の範囲】
【請求項１】
互いにオーバーラップするバンド端部を有する開放したバンド（１０）から成り、外側のバンド端部が内側のバンド領域と接続されている閉鎖された状態から、減少した内部寸法を有する緊張された状態へと移行可能であり、
内側のバンド端部に存在する舌部（１７）と、
緊張された状態で舌部（１７）を収容するための、外側のバンド部分（１２）に設けられた空所（２０）と、そして、
外側のバンド端部に面した空所（２０）の端部の領域内で、バンド長手方向に対して横に延在し、かつバンド材料の厚さに応じた高さを備える、外側のバンド端部から見て内方へと突出する段部（１９）と、
を有するホースクランプにおいて、
舌部（１７）の長さが、その閉鎖された状態とその緊張された状態との間のホースクランプの内部寸法差よりも本質的に短いこと、
外側のバンド部分（１２）が、外側のバンド端部と空所（２０）との間の領域内に、空所内へと舌部が進入する前に舌部（１７）の側方の案内をするための案内装置（１８，２４）を備え、この場合、案内装置が、バンド長手方向に延在する、半径方向に内方へと突出する２つの側方の溝（１８）、又は舌部（１７）の外側の突出部（２３）が係合するための、空所（２０）へと移行するスリット（２４）を有すること、そして、
案内装置（１８，２４）と外側のバンド端部との間に、ホースクランプを緊張するための耳状の緊張装置（１５）及び／又は波付け部（２５）が設けられていること、
を特徴とするホースクランプ。
【請求項２】
空所が、ホースクランプの緊張された状態で舌部（１７）を貫通させるための窓（２０）であることを特徴とする請求項１に記載のホースクランプ。
【請求項３】
内側のバンド端部部分（１１）が、バンド長手方向に舌部（１７）に隣接する領域内に２つの溝（２１）を備え、これらの溝内へと、ホースクランプの緊張状態で、外側のバンド部分（１２）の両方の溝（１８）が係合することを特徴とする請求項１又は２に記載のホースクランプ。
【請求項４】
それぞれの溝（１８）の幅が、バンド幅の１／４〜１／１０であることを特徴とする請求項１〜３のいずれか１つに記載のホースクランプ。
【請求項５】
舌部（１７）の自由端の近傍に、外側のバンド部分（１２）に面した点状の押出し部（２２）が設けられていることを特徴とする請求項１〜４のいずれか１つに記載のホースクランプ。
【請求項６】
突出部（２３）が、舌部（１７）から押し出されたノーズ部であることを特徴とする請求項１〜５のいずれか１つに記載のホースクランプ。
【発明の詳細な説明】
【技術分野】
【０００１】
本発明は、請求項１の上位概念に記載のホースクランプに関する。
【背景技術】
【０００２】
特許文献１からは、請求項１の最初の部分に記載された特徴を有するホースクランプが公知である。このホースクランプは、緊張された状態で、その内面に間隙及び段部がなく、従って、その周囲の全ての個所でホースを支持するという事実のために、チューブニップルに薄くて硬いホースを固定するためにも適していることが実証されている。
【０００３】
公知のホースクランプを緊張するため、外側のバンド部分に設けられたいわゆる「エーティケルの耳（Ｏｅｔｉｋｅｒ−Ｏｈｒ）」が、プライヤによって狭窄される。この耳の下に残留する間隙を橋渡しするために、外側のバンド部分に存在する舌部用通路と協働する、内側のバンド端部に設けられた舌部が役立つ。この通路は、バンド長手方向に延在する平行な２つの切れ込みによって構成されており、この場合、これら切れ込みの外側の両方のバンド領域は、その外側のバンド端部に面した端部が、またこれらの切れ込みの間に配された中心部分は、その外側のバンド端部とは逆に面した端部が、それぞれ、バンド材料の厚さに応じた寸法だけ、内方へと折り曲げられている。
【０００４】
閉鎖されてはいるが、未だ緊張されてないホースクランプの状態で、内側のバンド部分に設けられたフックは、外側のバンド端部の近傍の開口部へと引っ掛けられる。舌部及び舌部用通路は、舌部の自由端が、閉鎖されたこの状態で、ちょうど通路に達し、舌部に続く完全なバンド幅の領域が、耳の脚部の間の間隔を橋渡しするように、配設され、かつホースクランプの周方向に寸法設定されている。
【０００５】
緊張の際、舌部は、その端部が、両方の切れ込みの間に配された中心バンド部分の折り曲げ部の近傍に位置するまで、また舌部に続く完全なバンド幅の領域が、舌部用通路の他端の折り曲げ部の近傍に位置するまで、完全に舌部用通路内へと押し込まれる。緊張されたこの状態では、確かに折り曲げ部の近傍にそれぞれ間隙が生じるが、しかしながら、この間隙は、いかなる個所でも完全なバンド幅にわたって延在しないので、ホースは、これらの領域内でも少なくともバンド幅の一部によって支持されて、ホースとチューブニップルとの間に、全周囲にわたって気密性が保証されている。
【０００６】
特許文献２から公知のホースクランプの場合、舌部は、緊張の際に、バンド材料の厚さに応じた寸法だけ内方へと突出し、同様の高さの段部において終了する、外側のバンド部分の内面に形成された２つの溝の間へと入る。舌部が全緊張工程の間に側方を案内されることを保証するために、ここでも、舌部及び溝は、ホースクランプの周方向に、舌部が既にホースクランプの閉鎖された状態で溝の間の中間空間に達するような長さである。
【０００７】
特許文献３には、耳を橋渡しする独立したインサート部分を有するホースクランプが記載されており、このインサート部分の両方の舌状の端部は、外側のバンド部分に存在する２つの窓を貫通する。
【特許文献１】米国特許第４，２９９，０１２号明細書
【特許文献２】欧州特許出願公開第０  ５７０  ７４２号明細書
【特許文献３】米国特許第４，３１５，３４８号明細書
【発明の開示】
【発明が解決しようとする課題】
【０００８】
本発明の基本にある課題は、比較可能な従来技術によるホースクランプにおいて生じるような欠点を、少なくとも部分的に排除することである。特別な課題は、クランプ直径が与えられている場合に、できるだけ少ないバンド材料長さで間に合うホースクランプを提供する点に見ることができる。
【課題を解決するための手段】
【０００９】
本発明によるこの課題の解決策は、請求項１において特徴付けられている。これによれば、内側のバンド端部に存在する舌部は、ホースクランプを緊張している間に、相前後して異なった２つの措置によって案内され、その際、舌部は、緊張運動の第１の部分では空所から離間しており、第２の部分で始めて空所内へと進入し、この空所によって案内される。従って、舌部は、ほぼ半分だけ、従来技術におけるよりも短くすることができ、これから、相応のバンド材料長さの節約が得られる。
【００１０】
案内装置が、バンド長手方向に延在する、半径方向に内方へと突出する２つの側方の溝を有する場合、緊張運動の第１の部分における舌部の案内の簡単な製造の可能性が得られる。
【００１１】
案内装置が、舌部の外側の突出部が係合するための、空所へと移行するスリットを有する場合、バンド長手方向に対して横の舌部の特に確実な案内が、緊張運動の第１の部分においても得られる。
【００１２】
請求項２による形態では、バンド幅の方向の内側のバンド部分の特に確実な案内及び保持が得られる。
【００１３】
請求項５は、ホースクランプを緊張する際に、舌部と外側のバンド部分との間に生じる摩擦を低減するという措置に関する。
【００１４】
本発明は、ホースクランプに耳状の緊張装置が有っても無くても応用可能である。
【発明を実施するための最良の形態】
【００１５】
有利な実施例を、以下で、図面を基にして詳細に説明する。
【００１６】
図１及び２に示された開放したホースクランプは、例えば１０ｍｍの幅と例えば１ｍｍの厚さのスチールバンド１０から製造されており、示された構成については、互いにオーバーラップするバンド端部を含めて予め曲げられている。この場合、内側のバンド端部部分１１は、１２で指示された外側のバンド部分と向かい合って位置する。
【００１７】
例えば（示されてない）ホースを（同様に示されてない）チューブニップルに対してシールするため、ホースクランプは、シールすべきホース領域上に取り付けられる。外側のバンド端部の近傍に配設された開口部１４内へと内側のバンド部分に設けられたフック１３を引っ掛けた後、外側のバンド部分１２に設けられた全体としてほぼＵ字形の「エーティケルの耳」１５は、プライヤによって圧縮されて、ホースクランプが狭窄され、ホースの回りで緊張される。
【００１８】
内側のバンド端部部分１１には、舌部１７が形成されており、この舌部は、１０ｍｍのバンド幅であると仮定した場合、例えば４ｍｍの幅を有する。舌部の長さは、耳１５が緊張する際に狭窄され、ホースクランプの周囲が短くなるだけの寸法の半分よりも幾らか大きい。
【００１９】
向かい合って位置する外側のバンド部分１２には、バンド長手方向に延在する、半径方向に内方へと突出する２つの側方の溝１８が形成されている。溝１８は、外側のバンド縁部の近傍に配設されており、それぞれバンド幅の約１／１０から多くとも１／４の幅を有する。バンド長手方向の溝１８の長さは、本質的に舌部１７の長さに等しい。
【００２０】
溝１８は、外側のバンド端部から見て内方へと突出する段部１９において終了し、この段部は、バンド長手方向に対して横に延在し、かつバンド材料の厚さに相当する高さを有する。
【００２１】
段部１９の開始点において、従って外側のバンド端部とは逆に面した溝１８の端部において、全体として長方形の窓２０は始まり、この窓の幅は、舌部１７の幅よりもごく僅か大きく、またこの窓の長さは、段部１９の領域を越えている。
【００２２】
内側のバンド端部部分１１には、舌部１７の両側で、その端部において始まる内方へと突出する２つの溝２１が形成されており、これらの溝の長さは、少なくとも溝１８の長さに相当する。更に、舌部１７は、その自由端の近傍に、外方へと指向する点状の押出し部２２を備えている。
【００２３】
内側のバンド部分に設けられたフック１３が、外側のバンド部分１２に存在する開口部１４内へと引っ掛けられている、閉鎖されてはいるが、未だ緊張されてない状態で、舌部１７の自由端は、ちょうど外側のバンド部分に存在する溝１８の間へと係合する。ホースクランプを緊張するために、耳１５が狭窄された場合、舌部１７は、先ず溝１８の間を摺動し、これらの溝によって案内されて、内側のバンド端部は、外側のバンド部分１２に対してバンド長手方向に対して横に移動することができない。この運動では、押出し部２２が、舌部１７と外側のバンド部分１２との間の摩擦を減少させる。
【００２４】
この狭窄運動の第２の半分では、舌部１７が窓２０に達し、この窓を貫通するのに対して、外側のバンド部分１２に存在する溝１８は、内側のバンド端部部分１１に設けられた溝２１内へと係合する。耳１５がごく僅かな間隔に至るまで閉鎖されている完全に緊張された状態では、内側のバンド端部部分１１の舌部１７の両脇に存在する肩部が段部１９に沿って存在して、この両方の側方の個所には、ごく僅かな間隙しか残っていない。段部１９は、その高さが、ホースクランプの材料の厚さに相当し、舌部１７は、この個所ではそれ以上に、結局窓２０を経て延在するので、緊張された状態では、一貫して平滑な間隙のないホースクランプの内面が得られる。
【００２５】
図３〜６に示されたホースクランプの変形例は、舌部１７が緊張運動の第１の半分において、外側のバンド部分に存在する側方の溝によってではなく、その自由端において外方へと突出する突出部２３によって案内され、この突出部が、窓２０内へと移行する幅の狭いスリット２４内へと係合することによって、図１による変形例から区別される。突出部２３は、ノーズ部として、又は後方へと折り曲げられたフックとしても、形成することができる。フックは、このフックをスリット２４の閉鎖された端部に引っ掛けることができ、これにより閉鎖されたホースクランプの偶然の開放を困難にするという利点を有する。
【００２６】
図３及び４によるホースクランプは、耳のないホースクランプであり、この場合、ホースとチューブニップルとの間のシールをするために必要な弾性は、波付け部２５によって得られる。
【００２７】
これに対して、図５及び６によるホースクランプは、図１によるホースクランプと同様に、エーティケルの耳１５を有するようなホースクランプであり、この場合、波付け部２５は、付加的な弾性の予備として設けられている。
【図面の簡単な説明】
【００２８】
【図１】開放した状態にある第１の実施例によるホースクランプを示す。
【図２】緊張した状態にある図１によるホースクランプの舌部及び外側のバンド部分を経る幾らか拡大した横断面図を示す。
【図３】閉鎖されてはいるが、未だ緊張されてない状態にある第２の実施例による耳のないホースクランプを示す。
【図４】内側から見た図３によるホースクランプの幾らか拡大した部分図を示す。
【図５】閉鎖されてはいるが、未だ緊張されてない状態にある本発明の第３の実施例によるエーティケルの耳を有するホースクランプを示す。
【図６】内側から見た図５によるホースクランプの拡大した部分図を示す。
【符号の説明】
【００２９】
１０    スチールバンド
１１    内側のバンド端部部分
１２    外側のバンド部分
１３    フック
１４    開口部
１５    エーティケルの耳
１７    舌部
１８    溝
１９    段部
２０    窓
２１    溝
２２    押出し部
２３    突出部
２４    スリット
２５    波付け部
【図１】
0003935436.tif 000002
【図２】
0003935436.tif 000003
【図３】
0003935436.tif 000004
【図４】
0003935436.tif 000005
【図５】
0003935436.tif 000006
【図６】
0003935436.tif 000007